【手続補正書】
【提出日】平成18年7月3日(2006.7.3)
【手続補正１】
【補正対象書類名】明細書
【補正対象項目名】特許請求の範囲
【補正方法】変更
【補正の内容】
【特許請求の範囲】
【請求項１】
動画像信号を圧縮符号化した動画データとして記録媒体に記録するとともに、データ間の時間的同期が可能な参照形式で、記録した動画データを参照した参照動画データを記録する動画像記録方法であって、
前記参照動画データとともに前記動画データを代表する代表フレーム画像を指定するための指定情報を記録する工程と、
前記記録媒体中の各動画データのサムネール画像を集めたサムネールファイルを記録する工程と、
前記指定情報により指定された前記代表フレーム画像と、前記サムネールファイルに記録された前記動画データに対応するサムネール画像とを対応付ける工程と、を有することを特徴とする動画像記録方法。
【請求項２】
前記サムネールファイルの前記サムネール画像が更新される場合、対応する前記参照動画データの代表フレーム画像の指定情報も併せて更新する工程を更に有することを特徴とする請求項１に記載の動画像記録方法。
【請求項３】
前記サムネールファイル中にサムネール画像を持たない動画データ及びそれを参照する参照動画データが追加された場合、前記参照動画データ中に代表フレーム画像を指定する時間情報がある場合は、当該時間情報によって示されるフレームのサムネール画像を前記サムネールファイルに追加し、代表フレーム画像を指定する時間情報が無い場合は、前記動画データの先頭から所定の時間後のフレームを代表フレーム画像に指定して前記参照動画データ中に時間情報を追加するとともに、指定された代表フレーム画像のサムネール画像を前記サムネールファイルに追加する工程を更に有することを特徴とする請求項１又は２に記載の動画像記録方法。
【請求項４】
前記参照動画データのデータ形式はQuickTime（登録商標：以下略）ムービフォーマットであることを特徴とする請求項１乃至３のいずれか１項に記載の動画像記録方法。
【請求項５】
前記参照動画データの前記代表フレーム画像は、前記QuickTimeムービフォーマットにおけるポスターフレームであることを特徴とする請求項４に記載の動画像記録方法。
【請求項６】
動画像信号を圧縮符号化した動画データとして記録媒体に記録すると共に、データ間の時間的同期が可能な参照形式で、記録された動画データを参照した参照動画データを記録する動画像記録装置であって、
前記参照動画データとともに前記動画データを代表する代表フレーム画像を指定する指定情報を記録する記録手段と、
前記記録媒体中の各動画データのサムネール画像を集めたサムネールファイルを記録するサムネールファイル記録手段と、
前記指定情報により指定された前記代表フレーム画像と、前記サムネールファイルに記録された前記動画データに対応するサムネール画像とを対応付ける対応付け手段と、
を有することを特徴とする動画像記録装置。
【請求項７】
前記対応付け手段は、前記サムネールファイルの前記サムネール画像が更新されると、対応する前記参照動画データの代表フレーム画像の指定情報も併せて更新することを特徴とする請求項６に記載の動画像記録装置。
【請求項８】
前記サムネールファイル中にサムネール画像を持たない動画データ及びそれを参照する参照動画データが追加された場合、前記参照動画データ中に代表フレーム画像を指定する時間情報がある場合は、当該時間情報によって示されるフレームのサムネール画像を前記サムネールファイルに追加し、代表フレーム画像を指定する時間情報が無い場合は、前記動画データの先頭から所定の時間後のフレームを代表フレーム画像に指定して前記参照動画データ中に時間情報を追加するとともに、指定された代表フレーム画像のサムネール画像を前記サムネールファイルに追加する手段を更に有することを特徴とする請求項６又は７に記載の動画像記録装置。
【請求項９】
前記参照動画データのデータ形式は、QuickTimeムービフォーマットであることを特徴とする請求項６乃至８のいずれか１項に記載の動画像記録装置。
【請求項１０】
前記参照動画データの前記代表フレーム画像は、前記QuickTimeムービフォーマットにおけるポスターフレームであることを特徴とする請求項９に記載の動画像記録装置。
【請求項１１】
動画像信号を圧縮符号化した動画データとして記録するとともに、データ間の時間的同期が可能な参照形式で、記録した動画データを参照した参照動画データを記録した動画像記録媒体であって、
前記参照動画データとともに前記動画データを代表する代表フレーム画像を指定するための時間情報を記録し、記録した各動画データのサムネール画像を集めたサムネールファイルを記録し、更に前記時間情報により指定された前記代表フレーム画像と、前記サムネールファイルに記録された前記動画データに対応するサムネール画像とを対応付けた情報を記録したことを特徴とする動画像記録媒体。
【手続補正２】
【補正対象書類名】明細書
【補正対象項目名】０００７
【補正方法】変更
【補正の内容】
【０００７】
本発明は上記問題点に鑑みてなされたもので、本願発明の特徴は、参照動画データの編集に柔軟性を持たせ、各動画データのサムネールを集めたサムネールファイルによる参照動画データのサムネール指定の継承を可能にした動画像記録装置及びその方法を提供することにある。
【手続補正３】
【補正対象書類名】明細書
【補正対象項目名】０００８
【補正方法】変更
【補正の内容】
【０００８】
【課題を解決するための手段】
上記目的を達成するために本発明の動画像記録装置は以下のような構成を備える。即ち、
動画像信号を圧縮符号化した動画データとして記録媒体に記録すると共に、データ間の時間的同期が可能な参照形式で、記録された動画データを参照した参照動画データを記録する動画像記録装置であって、
前記参照動画データとともに前記動画データを代表する代表フレーム画像を指定する指定情報を記録する記録手段と、
前記記録媒体中の各動画データのサムネール画像を集めたサムネールファイルを記録するサムネールファイル記録手段と、
前記指定情報により指定された前記代表フレーム画像と、前記サムネールファイルに記録された前記動画データに対応するサムネール画像とを対応付ける対応付け手段と、を有することを特徴とする。
【手続補正４】
【補正対象書類名】明細書
【補正対象項目名】０００９
【補正方法】変更
【補正の内容】
【０００９】
上記目的を達成するために本発明の動画像記録方法は以下のような工程を備える。即ち、
動画像信号を圧縮符号化した動画データとして記録媒体に記録するとともに、データ間の時間的同期が可能な参照形式で、記録した動画データを参照した参照動画データを記録する動画像記録方法であって、
前記参照動画データとともに前記動画データを代表する代表フレーム画像を指定するための指定情報を記録する工程と、
前記記録媒体中の各動画データのサムネール画像を集めたサムネールファイルを記録する工程と、
前記指定情報により指定された前記代表フレーム画像と、前記サムネールファイルに記録された前記動画データに対応するサムネール画像とを対応付ける工程と、を有することを特徴とする。
【手続補正５】
【補正対象書類名】明細書
【補正対象項目名】００４６
【補正方法】変更
【補正の内容】
【００４６】
【発明の効果】
以上説明したように本発明によれば、参照動画データの編集に柔軟性を持たせ、各動画データのサムネールを集めたサムネールファイルによる参照動画データのサムネール指定の継承を可能にできるという効果がある。